(57)【要約】【課題】  荷重がある状態であっても、専用の工具を必要とすることなく、回すことで長さの調節が容易な、中間ジョイント対応束を提供することにある。【解決手段】    架設材を受ける上面基台（１０）の裏面側に組み合わせられたネジ山を有する上端側支柱（１１）と、設置面に設置する下面基台（２０）の表面側に組み合わせられたネジ山を有する下端側支柱（２１）と、該上端側支柱（１１）及び下端側支柱（２１）を組み合わせ可能なネジ溝を内面側に有する中空の中間ジョイント（３０）とを有し、該中間ジョイント（３０）の一部に、長手方向に直交する方向に突き抜ける２つの開孔（３１）が形成されている。【選択図】図１
2018087434.tif 000002
【特許請求の範囲】
【請求項１】
架設材を受ける上面基台の裏面側に組み合わせるネジ山を有する上端側支柱と、
設置面に設置する下面基台の表面側に組み合わせるネジ山を有する下端側支柱と、
該上端側支柱及び下端側支柱を組み合わせ可能なネジ溝を内面側に有する円筒状の中間ジョインとを有し、
該中間ジョイントの一部に、長手方向に交わる方向に突き抜ける２つの開孔が形成されていることを特徴とする、中間ジョイント対応束。
【請求項２】
前記開孔の形成部分には、内面側にネジ溝が形成されていないことを特徴とする、前記請求項１に記載の中間ジョイント対応束。
【請求項３】
前記開孔の形成箇所の円筒の外径は、他の箇所の外径より大きく、帯状に形成されていることを特徴とする、前記請求項１または２に記載の中間ジョイント対応束。
【発明の詳細な説明】
【技術分野】
【０００１】
本発明は中間ジョイント対応束に関する。
【背景技術】
【０００２】
上下長さを調整可能なジャッキ体であって、中間ジョイントである中間の回転操作部を有するものとして、特許文献１に記載のものが存在する。
該特許文献１には、床上に載置される可撓性のベース体と、中間ジョイントである中間に位置する回転操作部を操作することで上下長さを調整自在なジャッキ体と、このジャッキ体の上端に取り付けられる連結体を有する支え装置が記載されている。
該支え装置は、架設部材を配設したのち、または配設中に回転操作体を回してジャッキ体の上下長さを調整し、以て架設部材の上下レベルや傾斜を調整するものである。
【発明の概要】
【発明が解決しようとする課題】
【０００３】
上記特許文献１に記載の支え装置において、中間ジョイントに相当する回転操作部を操作するには、荷重が全く無い状態であれば、作業員が手で直接掴んで回すことも容易であるが、架設部材を配設した後等の荷重が有る状態だと、専用の工具を使用しなければ、回すことが容易でなかった。
従って、本発明の課題は、荷重がある状態であっても、専用の工具を必要とすることなく、回すことで長さの調節が容易な、中間ジョイント対応束を提供することにある。
【課題を解決するための手段】
【０００４】
本発明の課題を解決するための手段は、下記のとおりである。
【０００５】
第1に、
架設材を受ける上面基台の裏面側に組み合わせるネジ山を有する上端側支柱と、
設置面に設置する下面基台の表面側に組み合わせるネジ山を有する下端側支柱と、
該上端側支柱及び下端側支柱を組み合わせ可能なネジ溝を内面側に有する円筒状の中間ジョインとを有し、
該中間ジョイントの一部に、長手方向に交わる方向に突き抜ける２つの開孔が形成されていることを特徴とする、中間ジョイント対応束。
第２に、
前記開孔の形成部分には、内面側にネジ溝が形成されていないことを特徴とする、前記第１に記載の中間ジョイント対応束。
第３に、
前記開孔の形成箇所の円筒の外径は、他の箇所の外径より大きく、帯状に形成されていることを特徴とする、前記第１または第２に記載の中間ジョイント対応束。
【発明の効果】
【０００６】
本発明によれば以下の効果を奏することができる
【０００７】
本発明の中間ジョイント対応束は、中間ジョイントに突き抜ける２つの開孔が形成されているので、この部分にドライバー等を差し込んで操作することで、専用の工具を必要とすることなく、荷重が有る状態でも容易に回すことで長さの調節が可能となる。
【０００８】
また、内面側にネジ溝が形成されていない箇所に、開孔を形成することで、強度的に強固なものとなる。
さらに、前記開孔の形成箇所の円筒の外径は、他の箇所の外径より大きく、帯状に形成されている場合には、強度がより強固なものとなる。
【図面の簡単な説明】
【０００９】
【図１】本発明の中間ジョイント対応束の構成部品を組み立てる前の斜視図である。
【図２】本発明の中間ジョイント対応束の要部の説明図であり、（ａ）は平面図、（ｂ）は一部を切り欠いた側面図である。
【図３】本発明の中間ジョイント対応束の使用状態の説明図である。
【図４】本発明の中間ジョイント対応束の使用例を示す斜視図である。
【発明を実施するための形態】
【００１０】
以下、本発明を実施するための形態を、図面を参照しつつ具体的に説明する。
ここで、添付図面において同一の部材には同一符号を付しており、また重複した説明は省略されている。
なお、ここでの説明は本発明が実施される一形態であることから、本発明は該当形態に限定されるものではない。
【００１１】
該本実施形態の中間ジョイント対応束は、図１に示すように、架設材を受けるポリプレピレン樹脂製の上面基台１０の裏面側に組み合わせるネジ溝を有するポリプレピレン樹脂製の上端側支柱１１と、設置面に設置するポリプレピレン樹脂製の下面基台２０の表面側に組み合わせるネジ溝を有するポリプレピレン樹脂製の下端側支柱２１と、該上端側支柱１１及び下端側支柱２１を組み合わせ可能なネジ溝を内面側に有するポリプレピレン樹脂製の円筒状の中間ジョイント３０と、上端側支柱１１と下端側支柱２１とに各々組み合わせるポリプレピレン樹脂製のリング４０とを有している。
【００１２】
該中間ジョイント３０の中間付近の一部に、長手方向に直交する方向に突き抜ける２つの開孔３１が形成されている。
前記開孔３１の形成部分には、図２（ｂ）に示すように、内面側にネジ溝が形成されておらず、また、該開孔３１の形成箇所の円筒の外径は、他の箇所の外径より大きく、帯状に形成されている。
図中、３２は、中間ジョイント３０の表面の長手方向に、等間隔で形成された６個の線状突起体である。
【００１３】
前記上面基台１０は、上面開放の箱型形状で、架設材として床板を支持する根太材５０（図３参照）を受けるものであり、側面にネジ孔が形成されている。
該記上面基台１０の底面側に相当する裏面側には、外周面にネジ山を有する例えば外径が３９ミリメートルの上端側支柱１１が一体となって取り付けられることにより、組み合わせられている。
【００１４】
前記下面基台２０は、小円筒状の凹部収納体２２の外周に、フランジ２３を一体で形成したものである。
該凹部収納体２２には、例えば外径が３９ミリメートルの下端側支柱２１の下端に形成された球状端部２１ａを組み合わせることで、下面基台２０と下端側支柱２１が一体となって組み合わせられることになる。
【００１５】
ここで、球状端部２１ａの直径は、例えば外径が３９ミリメートルの下端側支柱２１の場合には、僅かに大きい４０ミリメートル程度である。
該凹部収納体２２及びフランジ２３には、前記球状端部２１ａを組み合わせた際に凹部が広がるように、スリット２４が連続して形成されている。
【００１６】
前記凹部収納体２２の凹部の上端側の直径は、球状端部２１ａの球の部分の直径より小さく、例えば、球状端部２１ａの直径が４０ミリメートルの場合は、３８．７ミリメートルに形成されている。
なお、前記凹部収納体２２の凹部の上端側の直径とは、小円筒状の凹部収納体２２の厚みを除く、内径部分の一端から対向する反対端までの長さを示す。
このように、前記凹部収納体２２の凹部の上端側の直径を、球状端部２１ａの球の部分の直径より小さく形成することで、下面基台２０に下端側支柱２１を組み合わせた際に、下端側支柱２１が抜けにくくなって、保持力を高めることが可能となる。
【００１７】
前記凹部収納体２２の外面に対して、縦方向にスリット２４を閉じるための二つの係止片２５が、下面基台２０のスリット２４の形成箇所を挟むように形成されている。
前記係止片２５には、締め付け用の締付ネジ２６が貫通するネジ孔（図示は省略）が形成されている。
【００１８】
前記リング４０は、図１に示すように、小円筒状であり、同間隔で６箇所に縦リブ４１が形成されている。
該リング４０の内周面には、と同様に、ネジ溝が形成されている。
使用の際には、該リング４０を中間ジョイント３０の上下端側から締め付けるように設置することで、該中間ジョイント３０の位置を固定することが可能となる。
【００１９】
次に、上記の中間ジョイント対応束の使用例について説明する。
【００２０】
必要な数の下面基台２０を準備し、凹部収納体２２に、下端側支柱２１の球状端部２１ａを嵌め込むことで、下面基台２０の表面側に下端側支柱２１を組み合わせる。
ここで、球状端部２１ａを凹部収納体２２に嵌め込む際は、スリット２４の部分が一時的に広がるので、容易に組み合わせることが可能となる。
【００２１】
また、組み合わせた状態では、凹部収納体２２の上端側の直径が球状端部２１ａの直径より僅かに小さいので、下端側支柱２１が抜けにくくなる。
この際、係止片２５に形成されたネジ孔を利用して、ネジで締め付けることで、組み合わせた球状端部２１ａを強固に固定することが可能となる。
【００２２】
そして、下端側支柱２１の上端側に、一方のリング４０を嵌め込むと共に、上端側支柱１１の下端側に、他方のリング４０を嵌め込む。
その後、中間ジョイント３０の下端側に下端側支柱２１の上端側をねじ込むと共に、中間ジョイント３０の上端側に上端側支柱１１の下端側をねじ込む。
このようにして、中間ジョイント３０を介して、上面基台１０及び下面基台２０を一体に組み立てる。
【００２３】
必要な数の中間ジョイント対応束を組み立てた後は、逆さにして根太材５０に取り付け、上面基台１０に設けたネジ孔を利用して各々をネジ止めする。
その後、複数の必要な数の中間ジョイント対応束を取り付けた根太材５０を、所定の位置に配置し、下面基台２０を設置面に固定することで、図３に示すように、根太材５０を受けることが可能となる。
【００２４】
ここで、根太材５０による荷重が有る状態において、長さの調整が必要な場合には、図４に示すように、中間ジョイント３０の開孔３１にドライバーを差し込み貫通させて回すことで、専用の工具を使用しなくても、テコの原理により、中間ジョイント３０に対する上端側支柱11及び下端側支柱２１のねじ込み程度による全体の長さ調整を行うことが可能となる。
長さ調整による高さ位置の調整後、上下のリング４０を中間ジョイント３０に対して締め付けることで、該中間ジョイント３０の位置を各々固定する
【符号の説明】
【００２５】
１０  上面基台
１１  上端側支柱
２０  下面基台
２１  下端側支柱
２１ａ  球状端部
２２  凹部収納体
２３  フランジ
２４  スリット
２５  係止片
２６  締付ネジ
３０  中間ジョイント
３１  開孔
３２  線状突起体
４０  リング
４１  縦リブ
５０  根太材
【先行技術文献】
【特許文献】
【００２６】
【特許文献１】特開平９−３０３６７８号公報
【図１】
2018087434.tif 000003
【図２】
2018087434.tif 000004
【図３】
2018087434.tif 000005
【図４】
2018087434.tif 000006